(57)【特許請求の範囲】
【請求項１】
セカンドカセットフィーダ（８）  の底部を前後底ブロック（１）（２）の各載置板（１７）（６７）に載置し、当該フィーダ（８）  の上面に前後天ブロック（３）（４）の各載置板（１１４）（１７５）を載置し、これらを外装ケース（５）  に収納してなり、前底ブロック（１）  は、積層クロス貼段ボール製補強ブロック（５０）を巻き込んだ中央筒部（１０）の左右両側に、前方に開口し、補強パッド（５２）を挿入した前筒部（３０）（４０）を配設してなり、中央筒部（１０）は、内底板（１１）、中縦板（１２）、上板（１３）、外縦板（１４）、基底板（１５）、内縦板（１６）、載置板（１７）、補強縦板（１８）をそれぞれ折目を介して連設し、左右の前筒部（３０）（４０）は、内底側板（３１）（４１）、中縦側板（３２）（４２）、上側板（３３）（４３）、外縦側板（３４）（４４）、底側板（３５）（４５）を折目を介してそれぞれ左右対称に連設し、この左右の外縦側板（３４）（４４）を中央筒部（１０）の外縦板（１４）の左右両側に折目を介して連設してなり、
中央筒部（１０）を構成する内底板（１１）、中縦板（１２）、内縦板（１６）、補強縦板（１８）の左右横幅は、上板（１３）、外縦板（１４）、基底板（１５）の左右横幅より、左右の前筒部（３０）（４０）の内底側板（３１）（４１）や上側板（３３）（４３）の上下幅分だけ短く形成し、内縦板（１６）及び載置板（１７）は、その右方をさらに短くして形成し、中縦板（１２）は、差込孔（２１）を左右両側に設け、左右両端に折目を介して補強片（２２）を連設し、外縦板（１４）は、打抜孔（２３）を左右両側に設け、基底板（１５）は、下辺の左右両側に張出部（２４）（２５）を形成し、左側の張出部（２４）の左右幅は、左側の底側板（３５）の基部（３７）の上下幅と、右側の張出部（２５）の左右幅は、右側の底側板（４５）の基部（４７）の上下幅とそれぞれ略同幅に形成し、内縦板（１６）は、基底板（１５）と連設する折目の中央に細長孔（２７）を穿設し、載置板（１７）は、差込片（２８）を下辺左右両側に形成してなり、
左側の前筒部（３０）の底側板（３５）は、左辺中央に切込部（３６）を設け、略コ字状に基部（３７）、連結部（３８）、突片部（３９）を形成し、右側の前筒部（４０）の底側板（４５）は、左側の底側板（３５）と左右対称に形成してなり、
左右の前筒部（３０）（４０）の各折目を谷折りして、内底側板（３１）（４１）を底側板（３５）（４５）の基部（３７）（４７）にそれぞれ重ね、前記内底板（１１）に底側板（３５）（４５）を重ね、中央筒部（１０）の各折目を谷折りして、中縦板（１２）の補強片（２２）を内側に折曲し、内底板（１１）、中縦板（１２）、上板（１３）を巻くようにして折曲し、基底部（１５）に左右の底側板（３５）（４５）及び内底板（１１）を重ねて接着し、重合した基底板（１５）の底側板（３５）（４５）の両切込部（３６）（４６）に、積層クロス貼段ボール製補強ブロック（５０）をその上面及び前後面の切断面から波方向が見えるよう配設し、内縦板（１６）、載置板（１７）、補強縦板（１８）を折曲し、載置板（１７）の差込片（２８）を中縦板（１２）の差込孔（２１）に差し込み、補強縦板（１８）を中縦板（１２）に重ねて補強ブロック（５０）を巻き込み、この左右の前筒部（３０）（４０）に、上下に並行に折曲した上下片部（５３）（５５）の間に補強片（５７）を内側に折り込んだ補強パッド（５２）を、補強片（５７）が外側を向くようにそれぞれ挿入してなり、
後底ブロック（２）  は、前記前底ブロック（１）  と面対称に形成し、積層クロス貼段ボール製補強ブロック（１００）  を巻き込んだ中央筒部（６０）の左右両側に、前方に開口し、補強パッド（５２）を挿入した後筒部（８０）（９０）を配設してなり、
前天ブロック（３）  は、中央筒部（１１０）  の左右両側に、上方に開口した前筒部（１３０）  （１５０）  を配設してなり、中央筒部（１１０）  は、外縦板（１１１）  、下板（１１２）  、中縦板（１１３）  、載置板（１１４）  、内縦板（１１５）  、基上板（１１６）  、補強縦板（１１７）  を折目を介して連設し、左右の前筒部（１３０）（１５０）は、後中縦板（１３１）（１５１）、中縦板（１３２）（１５２）、前内縦板（１３３）（１５３）、側内縦板（１３４）（１５４）、後外縦板（１３５）（１５５）、側外縦板（１３６）（１５６）、前中縦板（１３７）（１５７）を折目を介して連設し、この左右の側外縦板（１３６）（１５６）を前記中央筒部（１１０）  の基上板（１１６）  の左右両側に折目を介してそれぞれ左右対称に連設してなり、
中央筒部（１１０）  を構成する中縦板（１１３）  の左右横幅は、折込片（１２０）  を有する外縦板（１１１）  、下板（１１２）  、内縦板（１１５）  、基上板（１１６）  、補強縦板（１１７）  の左右横幅より、左右後筒部（１３０）（１５０）の後中縦板（１３１）（１５１）、前内縦板（１３３）（１５３）、後外縦板（１３５）（１５５）や前中縦板（１３７）（１５７）の上下幅分だけ短く形成し、載置板（１１４）  は、右方をさらに短くして形成し、中縦板（１１３）  は、折目（ヘ）  の中央から基上板（１１６）  の上辺折目にかけて略Ｕ字状の切込線（１２１）  を設けて、少許突出した支持壁部（１２２）  を中央下部に形成し、この支持壁部（１２２）  の下方に折目（ト）  を介して重合片（１２３）  を連設し、載置板（１１４）  及び内縦板（１１５）  は、前記切込線（１２１）  により左右に二分割され、内縦板（１１５）  の左端上下部に突片部（１２６）  を有する略横キノコ状の折込片（１２７）  を形成し、内縦板（１１５）  を三分割し、さらに右方には、載置板（１１４）  の下部折目及び基上板（１１６）  の上部折目と連続する係止孔（１２８）  を上下に形成し、補強縦板（１１７）  は、左方に自由端を有する折込片（１２９）  を設けてなり、
左右の前筒部（１３０）（１５０）の後中縦板（１３１）（１５１）は、上辺中央に差込片（１３８）（１５８）を突設し、側内縦板（１３４）（１５４）は、下部折目中央に差込孔（１３９）（１５９）を設け、各内側辺に折目を介して内上片（１４０）（１６０）を連設してなり、
中央筒部（１１０）  の各折目を谷折りして、折目（ヘ）  及び（ト）  を山折りして、補強縦板（１１７）  の外側に外縦板（１１１）  を重ね、重合片（１２３）  を基上板（１１６）  の中央に重ねて接着し、中央筒部（１１０）  を形成し、左側の前筒部（１３０）（１５０）の各折目を折曲して、後中縦板（１３１）（１５１）の差込片（１３８）（１５８）を側内縦板（１３４）（１５４）の差込孔（１３９）（１５９）に差し込み、後中縦板（１３１）（１５１）を後外縦板（１３５）（１５５）に、中縦板（１３２）（１５２）を側外縦板（１３６）（１５６）に、前中縦板（１３７）（１５７）を前内縦板（１３３）（１５３）にそれぞれ重ね、内上片（１４０）（１６０）を折曲して基上板（１１６）  に重ね、側内縦板（１３４）  を中縦板（１１３）  の左端に接当させ、中縦板（１３７）（１５７）を補強縦板（１１７）  に重ねて、中央筒部（１１０）  の左右両側に上方に開口した前筒部（１３０）（１５０）を形成し、内縦板（１１５）  の折込片（１２７）  を折目で折曲して中央筒部（１１０）  内に折り込み、折込片（１２７）  の突片部（１２６）  を載置板（１１４）  及び基上板（１１６）  の各係止孔（１２８）  に係止して、当該折込片（１２７）  を内縦板（１１５）  の内側に重ね、外縦板（１１１）  及び補強縦板（１１７）  の各折込片（１２０）（１２９）を内側に折曲してなり、
後天ブロック（４）  は、前記前天ブロック（３）  と面対称で、中央筒部（１７０）  の左右両側に上方に開口した後筒部（２００）（２２０）を配設してなるセカンドカセットフィーダ用包装部材。
【請求項２】
基板（２５５）  の左右両側上部に折目を介して舌片（２５６）  を連設し、左端下方に張出片部（２５７）  を形成してなる固定パッド（６）  を形成し、セカンドカセツトフィーダ（８）  の上面右方に固定パッド（６）  の張出片部（２５７）  を前方にして載せて固定し、このセカンドカセットフィーダ（８）  の上面に前後天ブロック（３）（４）の各載置板（１１４）（１７５）を載置し、これらを外装ケース（５）  に収納してなることを特徴とする請求項１記載のセカンドカセットフィーダ用包装部材。
【発明の詳細な説明】
【０００１】
【発明の属する技術分野】
本発明は、セカンドカセットフィーダ用包装部材に関するものである。
【０００２】
【従来の技術】
従来、レーザープリンタ等に使用される給紙用のセカンドカセットフィーダを箱詰めする場合には、保管時や輸送時における外部からの衝撃で損傷しないように、発泡ポリスチロール、発泡ポリエチレン、空気封入クッションシート等の緩衝性のある合成樹脂材料が使用されている。
特に発泡ポリスチロールは、複雑な立体形状の成形が可能であり、緩衝性に優れ、軽量であり製造コストも安い等の利点から、緩衝材として広く使用されている。
しかし、これらの合成樹脂製の緩衝材は、燃焼処理する場合には高熱を発するため焼却炉を損傷し、又、そのまま廃棄処分する場合にはゴミ処理公害を招くことになる。
そこで、再生利用ができると共に、これらの公害を招くことなく燃焼処理のできる段ボールが見直されて使用されるようになっている。
【０００３】
【発明が解決しようとする課題】
一方、段ボールは、その製作方法からも明らかなように、段ボールの波方向によって、切断面や厚さ方向の緩衝力に差異がある。
又、セカンドカットセフィーダは、その構造上、重量バランスが異なり、材質の違い等により各部位の強度が異なることから、段ボールだけで十分な緩衝効果が得られるようにするために、種々の工夫が必要になる。
【０００４】
本発明は、前記従来技術に鑑み、再生利用ができると共に、焼却処理可能な段ボールを使用して、重量バランスが異なり、材質の違い等により各部位の強度  が異なるセカンドカセットフィーダを損傷しないように保護できるセカンドカセットフィーダ用包装部材を提供することを課題とする。
【０００５】
【課題を解決するための手段】
上記目的を達成するため、請求項１の発明は、セカンドカセットフィーダ（８）  の底部を前後底ブロック（１）  （２）  の各載置板（１７）（６７）に載置し、当該セカンドカセットフィーダ（８）  の上面に前後天ブロック（３）  （４）  の各載置板（１１４）（１７５）を載置し、これらを外装ケース（５）  に収納してなり、
前底ブロック（１）  は、積層クロス貼段ボール製補強ブロック（５０）を巻き込んだ中央筒部（１０）の左右両側に、前方に開口し、補強パッド（５２）を挿入した前筒部（３０）（４０）を配設してなり、中央筒部（１０）は、内底板（１１）、中縦板（１２）、上板（１３）、外縦板（１４）、基底板（１５）、内縦板（１６）、載置板（１７）、補強縦板（１８）をそれぞれ折目を介して連設し、左右の前筒部（３０）（４０）は、内底側板（３１）（４１）、中縦側板（３２）（４２）、上側板（３３）（４３）、外縦側板（３４）（４４）、底側板（３５）（４５）を折目を介してそれぞれ左右対称に連設し、この左右の外縦側板（３４）（４４）を中央筒部（１０）の外縦板（１４）の左右両側に折目を介して連設してなり、
中央筒部（１０）を構成する内底板（１１）、中縦板（１２）、内縦板（１６）、補強縦板（１８）の左右横幅は、上板（１３）、外縦板（１４）、基底板（１５）の左右横幅より、左右の前筒部（３０）（４０）の内底側板（３１）（４１）や上側板（３３）（４３）の上下幅分だけ短く形成し、内縦板（１６）及び載置板（１７）は、その右方をさらに短くして形成し、中縦板（１２）は、差込孔（２１）を左右両側に設け、左右両端に折目を介して補強片（２２）を連設し、外縦板（１４）は、打抜孔（２３）を左右両側に設け、基底板（１５）は、下辺の左右両側に張出部（２４）（２５）を形成し、左側の張出部（２４）の左右幅は、左側の底側板（３５）の基部（３７）の上下幅と、右側の張出部（２５）の左右幅は、右側の底側板（４５）の基部（４７）の上下幅とそれぞれ略同幅に形成し、内縦板（１６）は、基底板（１５）と連設する折目の中央に細長孔（２７）を穿設し、載置板（１７）は、差込片（２８）を下辺左右両側に形成してなり、
左側の前筒部（３０）の底側板（３５）は、左辺中央に切込部（３６）を設け、略コ字状に基部（３７）、連結部（３８）、突片部（３９）を形成し、右側の前筒部（４０）の底側板（４５）は、左側の底側板（３５）と左右対称に形成してなり、
左右の前筒部（３０）（４０）の各折目を谷折りして、内底側板（３１）（４１）を底側板（３５）（４５）の基部（３７）（４７）にそれぞれ重ね、前記内底板（１１）に底側板（３５）（４５）を重ね、中央筒部（１０）の各折目を谷折りして、中縦板（１２）の補強片（２２）を内側に折曲し、内底板（１１）、中縦板（１２）、上板（１３）を巻くようにして折曲し、基底部（１５）に左右の底側板（３５）（４５）及び内底板（１１）を重ねて接着し、重合した基底板（１５）の底側板（３５）（４５）の両切込部（３６）（４６）に、積層クロス貼段ボール製補強ブロック（５０）をその上面及び前後面の切断面から波方向が見えるよう配設し、内縦板（１６）、載置板（１７）、補強縦板（１８）を折曲し、載置板（１７）の差込片（２８）を中縦板（１２）の差込孔（２１）に差し込み、補強縦板（１８）を中縦板（１２）に重ねて補強ブロック（５０）を巻き込み、この左右の前筒部（３０）（４０）に、上下に並行に折曲した上下片部（５３）（５５）の間に補強片（５７）を内側に折り込んだ補強パッド（５２）を、補強片（５７）が外側を向くようにそれぞれ挿入してなり、
後底ブロック（２）  は、前記前底ブロック（１）  と面対称に形成し、積層クロス貼段ボール製補強ブロック（１００）  を巻き込んだ中央筒部（６０）の左右両側に、前方に開口し、補強パッド（５２）を挿入した後筒部（８０）（９０）を配設してなり、
前天ブロック（３）  は、中央筒部（１１０）  の左右両側に、上方に開口した前筒部（１３０）（１５０）を配設してなり、中央筒部（１１０）  は、外縦板（１１１）  、下板（１１２）  、中縦板（１１３）  、載置板（１１４）  、内縦板（１１５）  、基上板（１１６）  、補強縦板（１１７）  を折目を介して連設し、左右の前筒部（１３０）（１５０）は、後中縦板（１３１）（１５１）、中縦板（１３２）（１５２）、前内縦板（１３３）（１５３）、側内縦板（１３４）（１５４）、後外縦板（１３５）（１５５）、側外縦板（１３６）（１５６）、前中縦板（１３７）（１５７）を折目を介して連設し、この左右の側外縦板（１３６）（１５６）を前記中央筒部（１１０）  の基上板（１１６）  の左右両側に折目を介してそれぞれ左右対称に連設してなり、
中央筒部（１１０）  を構成する中縦板（１１３）  の左右横幅は、折込片（１２０）  を有する外縦板（１１１）  、下板（１１２）  、内縦板（１１５）  、基上板（１１６）  、補強縦板（１１７）  の左右横幅より、左右後筒部（１３０）（１５０）の後中縦板（１３１）（１５１）、前内縦板（１３３）（１５３）、後外縦板（１３５）（１５５）や前中縦板（１３７）（１５７）の上下幅分だけ短く形成し、載置板（１１４）  は、右方をさらに短くして形成し、中縦板（１１３）  は、折目（ヘ）  の中央から基上板（１１６）  の上辺折目にかけて略Ｕ字状の切込線（１２１）  を設けて、少許突出した支持壁部（１２２）  を中央下部に形成し、この支持壁部（１２２）  の下方に折目（ト）  を介して重合片（１２３）  を連設し、載置板（１１４）  及び内縦板（１１５）  は、前記切込線（１２１）  により左右に二分割され、内縦板（１１５）  の左端上下部に突片部（１２６）  を有する略横キノコ状の折込片（１２７）  を形成し、内縦板（１１５）  を三分割し、さらに右方には、載置板（１１４）  の下部折目及び基上板（１１６）  の上部折目と連続する係止孔（１２８）  を上下に形成し、補強縦板（１１７）  は、左方に自由端を有する折込片（１２９）  を設けてなり、
左右の前筒部（１３０）（１５０）の後中縦板（１３１）（１５１）は、上辺中央に差込片（１３８）（１５８）を突設し、側内縦板（１３４）（１５４）は、下部折目中央に差込孔（１３９）（１５９）を設け、各内側辺に折目を介して内上片（１４０）（１６０）を連設してなり、
中央筒部（１１０）  の各折目を谷折りして、折目（ヘ）  及び（ト）  を山折りして、補強縦板（１１７）  の外側に外縦板（１１１）  を重ね、重合片（１２３）  を基上板（１１６）  の中央に重ねて接着し、中央筒部（１１０）  を形成し、左側の前筒部（１３０）（１５０）の各折目を折曲して、後中縦板（１３１）（１５１）の差込片（１３８）（１５８）を側内縦板（１３４）（１５４）の差込孔（１３９）（１５９）に差し込み、後中縦板（１３１）（１５１）を後外縦板（１３５）（１５５）に、中縦板（１３２）（１５２）を側外縦板（１３６）（１５６）に、前中縦板（１３７）（１５７）を前内縦板（１３３）（１５３）にそれぞれ重ね、内上片（１４０）（１６０）を折曲して基上板（１１６）  に重ね、側内縦板（１３４）  を中縦板（１１３）  の左端に接当させ、中縦板（１３７）（１５７）を補強縦板（１１７）  に重ねて、中央筒部（１１０）  の左右両側に上方に開口した前筒部（１３０）（１５０）を形成し、内縦板（１１５）  の折込片（１２７）  を折目で折曲して中央筒部（１１０）  内に折り込み、折込片（１２７）  の突片部（１２６）  を載置板（１１４）  及び基上板（１１６）  の各係止孔（１２８）  に係止して、当該折込片（１２７）  を内縦板（１１５）  の内側に重ね、外縦板（１１１）  及び補強縦板（１１７）  の各折込片（１２０）（１２９）を内側に折曲してなり、
後天ブロック（４）  は、前記前天ブロック（３）  と面対称で、中央筒部（１７０）  の左右両側に上方に開口した後筒部（２００）（２２０）を配設してなる構成である。
【０００６】
この構成によれば、前後底ブロック（１）  （２）  の中央筒部（１０）（６０）に、積層クロス貼段ボール製の補強ブロック（５０）（１００）  を配設しているため、重量物であるセカンドカセットフィーダ（８）  を確実に保持することができる。
又、前後底ブロック（１）  （２）  の中央筒部（１０）（６０）の載置部（１７）（６７）の下部に、積層クロス貼段ボール製の補強ブロック（５０）（１００）  を配設し、当該補強ブロック（５０）（１００）  の切断面が直接セカンドカセットフィーダ（８）  の底部と接触しないようにしているため、当該補強ブロック（５０）（１００）  の切断面でセカンドカセットフィーダ（８）  の底部の強度の弱い部分を傷めることなく、当該セカンドカセットフィーダ（８）  を保持することができる。さらに、中央筒部（１０）（６０）に細長孔（２７）（７７）を設けているため、底からの突き上げ衝撃をより緩衝することができ、より一層、当該セカンドカセットフィーダ（８）  を保持することができる。
前後底ブロック（１）  （２）  の左右両側の前後筒部（３０）（４０）（８０）（９０）に補強パッド（５２）を挿入しているため、各筒部の各板部の強度が増し、各前筒部（３０）（４０）の中縦側板（３２）（４２）（８２）（９２）が中縦板（１２）（６２）の左右両端及び補強片（２２）（７２）に接当していることと相俟って、対角方向からの衝撃を吸収して、対角方向の変形を防止でき、セカンドカセットフィーダ（８）  を確実に保護することができる。
前後天ブロック（３）  （４）  の中央筒部（１１０）（１７０）内に各折込片（１２０）（１２７）（１２９）（１８０）（１８３）（１９４）を折り込んでいるため、当該中央筒部載置板（１１０）（１７０）にかかる衝撃を効果的の吸収して、セカンドカセットフィーダ（８）  を保護することができる。
再生利用ができると共に、焼却処理可能な段ボールを使用して、重量バラン  スが異なり、材質の違い等により各部位の強度が異なるセカンドカセットフィーダ（８）  を損傷しないように保護できる。
【０００７】
上記目的を達成するため、請求項２の発明は、基板（２５５）  の左右両側上部に折目を介して舌片（２５６）  を連設し、左端下方に張出片部（２５７）  を形成してなる固定パッド（６）  を形成し、セカンドカセットフィーダ（８）  の上面右方に固定パッド（６）  の張出片部（２５７）  を前方にして載せて固定し、このセカンドカセットフィーダ（８）  の上面に前後天ブロック（３）  （４）  の各載置板（１１４）（１７５）を載置し、これらを外装ケース（５）  に収納してなる構成である。
【０００８】
この構成によれば、セカンドカセットフィーダ（８）  の上面の衝撃に弱い部分に固定パッド（６）  を配設しているため、固定パッド（６）  と前後天ブロック（３）  （４）  との相互作用により、上方からの衝撃を効果的に吸収して、当該セカンドカセットフィーダ（８）  を保護することができる。
【０００９】
【発明の実施の形態】
【実施例】
本発明に係るセカンドカセットフィーダ用包装部材の実施の形態を実施例に基づき図面を参照して説明する。
本発明に係るセカンドカセットフィーダ用包装部材は、図１に示すように、セカンドカセツトフィーダ（８）  を載置する前後底ブロック（１）  （２）  と、セカンドカセットフィーダ（８）  の上面に載置する前後天ブロック（３）  （４）  と、これらを収納する外装ケース（５）  とからなるものである。
【００１０】
前底ブロック（１）  は、図５に示すように、積層クロス貼段ボール製補強ブロック（５０）を巻き込んだ中央筒部（１０）の左右両側に、前方に開口し、補強パッド（５２）を挿入した前筒部（３０）（４０）を配設してなるものである。
前底ブロック（１）  の展開図は、図３に示すように、段ボールの波方向と直交する方向に裁断してなり、中央筒部（１０）は、内底板（１１）、中縦板（１２）、上板（１３）、外縦板（１４）、基底板（１５）、内縦板（１６）、載置板（１７）、補強縦板（１８）をそれぞれ折目を介して連設してなり、左右の前筒部（３０）（４０）は、内底側板（３１）（４１）、中縦側板（３２）（４２）、上側板（３３）（４３）、外縦側板（３４）（４４）、底側板（３５）（４５）を折目を介してそれぞれ左右対称に連設してなり、この左右の外縦側板（３４）（４４）を中央筒部（１０）の前記外縦板（１４）の左右両側に折目（イ）  を介して連設してなるものである。
【００１１】
中央筒部（１０）を構成する内底板（１１）、中縦板（１２）、内縦板（１６）、補強縦板（１８）の左右横幅は、上板（１３）、外縦板（１４）、基底板（１５）の左右横幅より、左右の前筒部（３０）（４０）の内底側板（３１）（４１）や上側板（３３）（４３）の上下幅分だけ短く形成し、内縦板（１６）及び載置板（１７）は、その右方に切込線（１９）及び切込部（２０）を設けてさらに短く形成する。
中縦板（１２）は、左右に横に細長い差込孔（２１）を設け、左右両端に折目を介して補強片（２２）を連設してなる。
外縦板（１４）は、上下の折目と連続する打抜孔（２３）を左右両側に設けて、三分割してなるものである。
基底板（１５）は、下辺の左右両側に張出部（２４）（２５）を形成し、この上下幅を外縦側板（３４）（４４）の左右幅と略同幅にし、左側の張出部（２４）の左右幅は、左側の底側板（３５）の基部（３７）の上下幅と、右側の張出部（２５）の左右幅は、右側の底側板（４５）の基部（４７）の上下幅とそれぞれ略同幅に形成する。これにより組み立てたときに、各部位を同一形に重ね合わせることができる。
内縦板（１６）は、基底板（１５）と連設する折目から下方の載置板（１７）にいたる縦長の打抜孔（２６）を左右両側に穿設し、この両打抜孔（２６）の間で、基底板（１５）と連設する折目のと中央に、当該折目と連続する横に細長い細長孔（２７）を穿設してなる。
載置板（１７）は、補強縦板（１８）と連設する折目と連続する略Ｕ字状の切込線を設けて差込片（２８）を下辺左右両側に形成してなるものである。
【００１２】
左右の前筒部（３０）（４０）を構成する各部位は、左右対称であるので、図３に示した展開図の左側の構成で説明する。
左側の前筒部（３０）の展開図は、内底側板（３１）、中縦側板（３２）、上側板（３３）、外縦側板（３４）、底側板（３５）を折目を介して連設し、底側板（３５）は、左辺中央に切込部（３６）を設け、略コ字状に基部（３７）、連結部（３８）、突片部（３９）を形成してなり、この基部（３７）の上下幅は、前記基底板（１５）の左側の張出部（２４）の左右幅と略同幅に形成してある。
なお、右側の前筒部（４０）の展開図は、左側の展開図と左右対称であり、底側板（４５）の基部（４７）の上下幅は、前記基底板（１５）の右側の張出部（２５）の左右幅と略同幅であり、左側の基部（３７）より幅広とし、突片部（４９）の上下幅は、左側の突片部（３９）より幅狭に形成してある。
【００１３】
次ぎに、前底ブロック（１）  の組み立て方法について説明する。
中央筒部（１０）の各折目を谷折りして、内底板（１１）、中縦板（１２）、上板（１３）を巻くようにして当該内底板（１１）の上辺を外縦部（１４）の下部折目（ロ）  に接当させ、中縦板（１２）の補強片（２２）を内側に折曲する。
左右の前筒部（３０）（４０）の各折目を谷折りして、内底側板（３１）（４１）を底側板（３５）（４５）の基部（３７）（４７）にそれぞれ重ね、折目（イ）  を谷折りして、前記内底板（１１）に底側板（３５）（４５）を重ねる。
この後、折目（ロ）  を谷折りして、基底部（１５）に左右の底側板（３５）（４５）及び内底板（１１）を重ね、これらを外縦板（１４）の両打抜孔（２３）からステープルで接着し、左右両側の前筒部（３０）（４０）の内底側板（３１）（４１）及び底側板（３５）（４５）の基部（３７）（４７）を基底板（１５）に前方の開口からステープルで接着し、図４に示す状態に組み立てる。
重合した基底板（１５）の底側板（３５）（４５）の両切込部（３６）（４６）に、積層クロス貼段ボール製補強ブロック（５０）をその上面及び前後面の切断面から波方向が見えるよう配設し、各折目を谷折りして、内縦板（１６）、載置板（１７）、補強縦板（１８）を折曲し、載置板（１７）の差込片（２８）を中縦板（１２）の差込孔（２１）に差し込み、補強縦板（１８）を中縦板（１２）に重ねて、補強ブロック（５０）を巻き込んだ中央筒部（１０）の左右両側に、前方に開口した前筒部（３０）（４０）を配設した状態に組み立てる。
このとき、図５において、左右両側の底側板（３５）（４５）の基部（３７）（４７）の幅が異なることから、左側の補強ブロック（５０）は、左側の前筒部（３０）の中縦側板（３２）の側面に接当し、右側の補強ブロック（５０）は、右側の前筒部（４０）に接当しない状態に配設されている。
又、左側の前筒部（３０）の中縦側板（３２）の側面は、中央筒部（１０）の内底板（１１）、中縦板（１２）、内縦板（１６）、載置板（１７）及び補強縦板（１８）の左端、左の補強片（２２）に接当し、右側の前筒部（４０）の中縦側板（４２）の側面は、中央筒部（１０）の内底板（１１）、中縦板（１２）及び補強縦板（１８）の右端、右の補強片（２２）に接当し、内縦板（１６）及び載置板（１７）の右端とは接当していない。
この左右の前筒部（３０）（４０）に、補強片（５７）が外側を向くように、補強パッド（５２）をそれぞれ挿入し、組み立てを完了する。
【００１４】
なお、補強パッド（５２）は、図６に示すように、段ボールの波方向と直交する方向に裁断してなり、上片部（５３）、縦片部（５４）、下片部（５５）を折目を介して連設し、上片部（５３）の右方下辺及び下片部（５５）の右方上辺にスリット（５６）を設け、この両スリット（５６）間に補強片（５７）を、縦片部（５４）の右方に折目を介して連設してなり、各折目を谷折りして、図５に示すように、上下に並行に折曲した上下片部（５３）（５５）の間に補強片（５７）を内側に折り込んでなるものである。
このように左右両側の前筒部（３０）（４０）に補強パッド（５２）を挿入しているため、前筒部（３０）（４０）の各板部の強度が増し、各前筒部（３０）（４０）の中縦側板（３２）（４２）が中縦板（１２）の左右両端及び補強片（２２）に接当していることと相俟って、対角方向からの衝撃を吸収して、対角方向の変形を防止できる。
【００１５】
後底ブロック（２）  は、前記前底ブロック（１）  と面対称で、図８に示すように、積層クロス貼段ボール製補強ブロック（１００）  を巻き込んだ中央筒部（６０）の左右両側に、前方に開口し、補強パッド（５２）を挿入した後筒部（８０）（９０）を配設してなるものである。
【００１６】
後底ブロック（２）  の展開図は、図７に示すように、前記前底ブロック（１）  の展開図の左右を逆転させて段ボールの波方向と直交する方向に同形に裁断してなるものである。
中央筒部（６０）は、内底板（６１）、中縦板（６２）、上板（６３）、外縦板（６４）、基底板（６５）、内縦板（６６）、載置板（６７）、補強縦板（６８）をそれぞれ折目を介して連設し、左右の前筒部（８０）（９０）は、内底側板（８１）（９１）、中縦側板（８２）（９２）、上側板（８３）（９３）、外縦側板（８４）（９４）、底側板（８５）（９５）を折目を介してそれぞれ左右対称に連設し、この左右の外縦側板（８４）（９４）を前記外縦板（６４）の左右両側に折目（ハ）  を介して連設してなるものである。
【００１７】
次ぎに、後底ブロック（２）  の組み立て方法について説明する。
前記前底ブロック（１）  と同様にして、積層クロス貼段ボール製補強ブロック（１００）  を中央筒部（６０）に巻き込み、左右の後筒部（８０）（９０）に補強パッド（５２）を挿入して、後底ブロック（２）  を組み立てる。
この後底ブロック（２）  は、図７及び３に示すように、前記前底ブロック（１）  の左右を逆転させた面対称で、基底板（６５）の左右の張出部（７４）（７５）の左右幅、底側板（８５）（９５）の基部（８７）（９７）及び突片部（８９）（９９）の上下幅が前底ブロック（１）  のそれと、左右を逆転して形成してなる。
又、図８において、左側の補強ブロック（１００）  は、左側の後筒部（８０）に接当せず、右側の補強ブロック（１００）  は、右側の後筒部（９０）の中縦側板（９４）の側面に接当している。
そして、左側の後筒部（８０）の中縦側板（３２）の側面は、中央筒部（６０）の内縦板（６６）及び載置板（６７）の左端に接当せず、補強縦板（６８）、内底板（６１）及び中縦板（６２）の各左端、左の補強片（７２）に接当し、右側の前筒部（９０）の中縦側板（９２）の側面は、中央筒部（１０）の内縦板（６６）、載置板（６７）、補強縦板（６８）、内底板（６１）及び中縦板（６２）の右端、右の補強片（７２）に接当する。
【００１８】
前天ブロック（３）  は、図１０に示すように、中央筒部（１１０）  の左右両側に上方に開口した前筒部（１３０）（１５０）を配設した構成で、図９に示すように、段ボールの波方向と直交する方向に裁断してなり、中央筒部（１１０）  は、外縦板（１１１）  、下板（１１２）  、中縦板（１１３）  、載置板（１１４）  、内縦板（１１５）  、基上板（１１６）  、補強縦板（１１７）  を折目を介して連設し、左右の前筒部（１３０）（１５０）は、後中縦板（１３１）（１５１）、中縦板（１３２）（１５２）、前内縦板（１３３）（１５３）、側内縦板（１３４）（１５４）、後外縦板（１３５）（１５５）、側外縦板（１３６）（１５６）、前中縦板（１３７）（１５７）を折目を介して連設し、この左右の側外縦板（１３６）（１５６）を前記中央筒部（１１０）  の基上板（１１６）  の左右両側に折目（ホ）  を介して連設してなるものである。
【００１９】
中央筒部（１１０）  を構成する中縦板（１１３）  の左右横幅は、外縦板（１１１）  、下板（１１２）  、内縦板（１１５）  、基上板（１１６）  、補強縦板（１１７）  の左右横幅より、左右後筒部（１３０）（１５０）の後中縦板（１３１）（１５１）、前内縦板（１３３）（１５３）、後外縦板（１３５）（１５５）や前中縦板（１３７）（１５７）の上下幅分だけ短く形成し、載置板（１１４）  は、右方に切込部（１１８）  を設けてさらに右方を短く形成する。
外縦板（１１１）  は、左方上辺からＬ  字状のスリット（１１９）  を設けて折込片（１２０）  を形成してなる。
中縦板（１１３）  は、下辺の折目（ヘ）  の中央から基上板（１１６）  の上辺折目にかけて略Ｕ字状の切込線（１２１）  を設けて、少許突出した支持壁部（１２２）  を中央下部に形成し、この支持壁部（１２２）  の下方に折目（ト）  を介して重合片（１２３）  を連設してなるものである。
載置板（１１４）  及び内縦板（１１５）  は、前記切込線（１２１）  により左右に二分割され、左方の載置板（１１４）  と内縦板（１１５）  の間中央に打抜孔（１２４）  を設け、右方の載置板（１１４）  の略中央下部に打抜孔（１２５）  を穿設し、この打抜孔（１２５）  と連続する切込線を内縦板（１１５）  に設けて、左端上下部に突片部（１２６）  を有する略横キノコ状の折込片（１２７）  を形成し、内縦板（１１５）  を三分割し、さらに右方には、載置板（１１４）  の下部折目及び基上板（１１６）  の上部折目と連続する係止孔（１２８）  を上下に形成してなる。
補強縦板（１１７）  は、左方に折目と連続する逆コ字状の打抜孔（１０９）  を設けて、左方に自由端を有する折込片（１２９）  を設けてなるものである。
【００２０】
左右の前筒部（１３０）（１５０）を構成する部位は、左右対称であるので、図９に示した展開図の左側の構成で説明する。
後中縦板（１３１）  、中縦板（１３２）  、前内縦板（１３３）  、側内縦板（１３４）  、後外縦板（１３５）  、側外縦板（１３６）  、前中縦板（１３７）  を折目を介して連設し、後中縦板（１３１）  は、上辺中央に差込片（１３８）  を突設し、中縦板（１３２）  は、これら縦板の略半分の幅に形成し、後中縦板（１３１）  、中縦板（１３２）  及び前内縦板（１３３）  を略コ字状に連設し、側外縦板（１３６）  を中央筒部（１１０）  の基上板（１１６）  の左端に折目（ホ）  を介して連設してなるものである。
側内縦板（１３４）  は、下部折目中央と連続する横長な差込孔（１３９）  を設け、右辺に折目を介して内上片（１４０）  を連設してなるものである。
【００２１】
次ぎに、前天ブロック（３）  の組み立て方法について説明する。
中央筒部（１１０）  の各折目を谷折りして、折目（ヘ）  及び（ト）  を山折りして、補強縦板（１１７）  の外側に外縦板（１１１）  を重ね、重合片（１２３）  を基上板（１１６）  の中央に重ね、それぞれの重合部をステープルで接着し、中央筒部（１１０）  を組み立てる。左側の前筒部（１３０）  の各折目を折曲して、後中縦板（１３１）  の差込片（１３８）  を側内縦板（１３４）  の差込孔（１３９）  に差し込み、後中縦板（１３１）  を後外縦板（１３５）  に、中縦板（１３２）  を側外縦板（１３６）  に、前中縦板（１３７）  を前内縦板（１３３）  にそれぞれ重ねてステープルで接着する。内上片（１４０）  を折目で折曲し、折目ホ  を谷折りして、当該内上片（１４０）  を基上板（１１６）  に重ね、後外縦板（１３５）  を内縦板（１１５）  の左端内側に接当させ、側内縦板（１３４）  を中縦板（１１３）  及び載置板（１１４）  の左端に接当させ、下板（１１２）  の左端部で前筒部（１３０）  の上部開放口を一部覆い、前中縦板（１３７）  を補強縦板（１１７）  に重ねて、前内縦板（１３３）  、前中縦板（１３７）  、補強縦板（１１７）  及び外縦板（１１１）  をステープルで接着して、中央筒部（１１０）  の左側に上方に開口した前筒部（１３０）  を組み立てる。
同様にして、右方の前筒部（１５０）  を組み立てた後、内縦板（１１５）  の折込片（１２７）  を折目で折曲して中央筒部（１１０）  内に折り込み、折込片（１２７）  の突片部（１２６）  を載置板（１１４）  及び基上板（１１６）  の各係止孔（１２８）  に係止して、当該折込片（１２７）  を内縦板（１１５）  の内側に重ね、外縦板（１１１）  及び補強縦板（１１７）  の各折込片（１２０）（１２９）を折目で折曲して、その自由端を基上板（１１６）  に接着した重合片（１２３）  の端辺に接当させて、中央筒部（１１０）  の左右両側に、上方に開口した前筒部（１３０）（１５０）を配設した状態に組み立てる。
このように、各折込片（１２７）（１２０）（１２９）  を折り込むことにより、載置板（１１４）  が上下方向の衝撃に対して補強されて、緩衝効果をより効果的に発揮することができる。
又、右側の前筒部（１５０）  の側内縦板（１５４）  の側面は、中央筒部（１１０）  の載置板（１１４）  の右端とは接当せず、中央筒部（１１０）  の中縦板（１１３）  は、左右両前筒部（１３０）（１５０）の側内縦板（１３４）（１５４）の側面と接当している。
【００２２】
後天ブロック（４）  は、図１２に示すように、前記前天ブロック（３）  と同様に、中央筒部（１７０）  の左右両側に、上方に開口した後筒部（２００）（２２０）を配設した構成で、図１１に示すように、前記前天ブロック（３）  の上下を逆転させた形で、段ボールの波方向と直交する方向に裁断してなる。
中央筒部（１７０）  は、内下板（１７１）  、補強縦板（１７２）  、基上板（１７３）  、内縦板（１７４）  、載置板（１７５）  、中縦板（１７６）  、下板（１７７）  、外縦板（１７８）  を折目を介して連設し、左右の後筒部（２００）（２２０）は、後中縦板（２０１）（２２１）、側外縦板（２０２）（２２２）、前外縦板（２０３）（２２３）、側内縦板（２０４）（２２４）、後内縦板（２０５）（２２５）、中縦板（２０６）（２２６）、前中縦板（２０７）（２２７）を折目を介して連設し、この左右の側外縦板（２０２）（２２２）を、前記基上板（１７３）  の左右両側に折目（チ）  を介して連設してなるものである。
そして、前記前天ブロック（３）  と同様にして組み立てた後天ブロック（４）  は、図１０及び１２に示すように、前記前天ブロック（３）  と面対称で、中央筒部（１７０）  の補強縦板（１７２）  の左右上辺に内下板（１７１）  を連設したこと、中央筒部（１７０）  の下板（１７７）  の中央が打抜孔（１９２）  で開口している点が前天ブロック（３）  と異なる。
【００２３】
外装ケース（５）  は、図１３に示すように、側板（２４０）  、後板（２４１）  、側板（２４２）  、前板（２４３）  、貼着片（２４４）  を折目を介して連設し、各板の上部に蓋板（２４５）（２４６）（２４７）（２４８）を、下部に底板（２４９）（２５０）（２５１）（２５２）をそれぞれ折目を介して連設してなるものである。
そして、各折目を谷折りして、貼着片（２４４）  に側板（２４０）  を接着し、各側板（２４０）（２４２）に連設した底板（２４９）（２５１）を折曲し、前後板（２４３）（２４１）に連設した底板（２５２）（２５０）を折曲してそれぞれ重ね、テープで接着して底を形成する。
【００２４】
次に、本発明に係るセカンドカセットフィーダ用包装部材の使用方法について、図面に基づき説明する。
このセカンドカセットフィーダ（８）  の上面右方に、固定パッド（６）  の張出片部（２５７）  を前方にして載せて、テープ（７）  で固定する。                        前記のように組み立てた外装ケース（５）  の底内側に前後底ブロック（１）  （２）  を互いに各載置板部（１７）（６７）が向かい合わせになるように内装し、前後底ブロック（１）  （２）  の各載置板（１７）（６７）にセカンドカセットフィーダ（８）  の底部を載置して、セカンドカセットフィーダ（８）  の前面下部を前底ブロック（１）  の中央筒部（１０）に、セカンドカセットフィーダ（８）  の左右側面下部を前底ブロック（１）  の左右の前筒部（３０）（４０）をそれぞれ接当させ、セカンドカセットフィーダ（８）  の後面下部を後底ブロック（２）  の中央筒部（６０）を、セカンドカセットフィーダ（８）  の左右側面下部を後底ブロック（２）  の左右の後筒部（８０）（９０）に接当させる。
このセカンドカセットフィーダ（８）  の上面に前後天ブロック（３）  （４）  の各載置板（１１４）（１７４）をのせ、セカンドカセットフィーダ（８）  の前面上部を前天ブロック（３）  の中央筒部（１１０）  で、左右側面上部を左右の前筒部（１３０）（１５０）で覆い、セカンドカセットフィーダ（８）  の後面上部を後天ブロック（４）  の中央筒部（１７０）  で、左右側面上部を左右の後筒部（２００）（２２０）で覆う。
この後、外装ケース（５）  （５）  の各蓋板（２４５）（２４６）（２４７）（２４８）を順次折目で折曲して蓋をし、テープ（７）  で固定し、セカンドカセットフィーダ（８）  の包装を終了し、図２に示した状態とする。
【００２５】
なお、固定パッド（６）  は、図１４に示すように、その長手方向が、波の方向と同じになるように段ボールを裁断し、基板（２５５）  の左右両側上部に折目を介して、舌片（２５６）  を連設し、左端下方に張出片部（２５７）  を形成してなるものである。
【００２６】
前記実施の形態例では、外装ケース（５）  を、各板の下部に底板（２４９）（２５０）（２５１）（２５２）をそれぞれ折目を介して連設した例で説明したが、いわゆるオートボトム形式の底部を形成するようにしてもよい。
【００２７】
【発明の効果】
以上の説明から明らかなように本発明に係るセカンドカセットフィーダ用包装部材は、以下に列挙する実用上の様々の優れた効果を有する。
本発明に係るセカンドカセットフィーダ用包装部材は、前後底ブロック（１）  （２）  の中央筒部（１０）（６０）に、積層クロス貼段ボール製の補強ブロック（５０）（１００）  を配設しているため、重量物であるセカンドカセットフィーダ（８）  を確実に保持することができる。
又、前後底ブロック（１）  （２）  の中央筒部（１０）（６０）の載置部（１７）（６７）の下部に、積層クロス貼段ボール製の補強ブロック（５０）（１００）  を配設し、当該補強ブロック（５０）（１００）  の切断面が直接フィーダ（８）  の底部と接触しないようにしているため、当該補強ブロック（５０）（１００）  の切断面でセカンドカセットフィーダ（８）  の底部の強度の弱い部分を傷めることなく、当該セカンドカセットフィーダ（８）  を保持することができる。
前後底ブロック（１）  （２）  の左右両側の前後筒部（３０）（４０）（８０）（９０）に補強パッド（５２）を挿入しているため、各筒部の各板部の強度が増し、各前筒部（３０）（４０）の中縦側板（３２）（４２）（８２）（９２）が中縦板（１２）（６２）の左右両端及び補強片（２２）（７２）に接当していることと相俟って、対角方向からの衝撃を吸収して、対角方向の変形を防止でき、セカンドカセットフィーダ（８）  を確実に保護することができる。
前後天ブロック（３）  （４）  の中央筒部（１１０）（１７０）内に各折込片（１２０）（１２５）（１２９）（１８０）（１８３）（１９４）を折り込んでいるため、当該中央筒部載置板（１１０）（１７０）にかかる衝撃を効果的の吸収して、セカンドカセットフィーダ（８）  を保護することができる。
再生利用ができると共に、焼却処理可能な段ボールを使用して、重量バランスが異なり、材質の違い等により各部位の強度が異なるセカンドカセットフィーダ（８）  を損傷しないように保護することができる。
本発明に係るセカンドカセットフィーダ用包装部材は、セカンドカセットフィーダの上面の衝撃に弱い部分に固定パッド（６）  を配設しているため、固定パッド（６）  と前後天ブロック（３）  （４）  との相互作用により、上方からの衝撃を効果的に吸収して、当該セカンドカセットフィーダを保護することができる。
【図面の簡単な説明】
【図１】本発明の一実施形態例に係るセカンドカセットフィーダ用包装部材の使用方法を示す斜視図である。
【図２】本発明のセカンドカセットフィーダ用包装部材でセカンドカセットフィーダを包装した状態を示す斜視図である。
【図３】本発明のセカンドカセットフィーダ用包装部材に係る前底ブロックの展開図である。
【図４】同前底ブロックの組み立て途中の斜視図である。
【図５】同前底ブロックの組み立て途中の斜視図である。
【図６】本発明のセカンドカセットフィーダ用包装部材に係る補強パッドの展開図である。
【図７】本発明のセカンドカセットフィーダ用包装部材に係る後底ブロックの展開図である。
【図８】同後底ブロックの組み立て途中の斜視図である。
【図９】本発明のセカンドカセットフィーダ用包装部材に係る前天ブロックの展開図である。
【図１０】同前天ブロックの斜視図である。
【図１１】本発明のセカンドカセットフィーダ用包装部材に係る後天ブロックの展開図である。
【図１２】同後天ブロックの斜視図である。
【図１３】本発明のセカンドカセッオフィーダ用包装部材に係る外装ケースの展開図である。
【図１４】本発明のセカンドカセットフィーダ用包装部材に係る固定パッドの展開図である。
【符号の説明】
（１）              前底ブロック
（２）              後底ブロック
（３）              前天ブロック
（４）              後天ブロック
（５）              外装ケース
（６）            固定パッド
（７）            テープ
（８）                  セカンドカセットフィーダ
（１０）          中央筒部
（１１）          内底板
（１２）          中縦板
（１３）          上板
（１４）          外縦板
（１５）          基底板
（１６）          内縦板
（１７）          載置板
（１８）          補強縦板
（２１）          差込孔
（２２）          補強片
（２３）          打抜孔
（２４）（２５）      張出部
（２７）          細長孔
（２８）          差込片部
（３０）（４０）      前筒部
（３１）（４１）      内底側板
（３２）（４２）      中縦側板
（３３）（４３）      上側板
（３４）（４４）      外縦側板
（３５）（４５）      底側板
（３６）（４６）      切込部
（３７）（４７）      基部
（３８）（４８）      連結部
（３９）（４９）      突片部
（５０）          補強ブロック
（５２）          補強パッド
（５３）          上片部
（５４）          縦片部
（５５）          下片部
（５７）          補強片
（６０）          中央筒部
（６７）          載置板
（８０）（９０）      後筒部
（１００）          補強ブロック
（１１０）          中央筒部
（１１１）          外縦板
（１１２）          下板
（１１３）          中縦板
（１１４）          載置板
（１１５）          内縦板
（１１６）          基上板
（１１７）          補強縦板
（１２０）          折込片
（１２１）          切込線
（１２２）          支持壁部
（１２３）          重合片
（１２６）          突片部
（１２７）          折込片
（１２８）          係止孔
（１２９）          折込片
（１３０）（１５０）      前筒部
（１３１）（１５１）      後中縦板
（１３２）（１５２）      中縦板
（１３３）（１５３）      前内縦板
（１３４）（１５４）      側内縦板
（１３５）（１５５）      後外縦板
（１３６）（１５６）      側後縦板
（１３７）（１５７）      前中縦板
（１３８）（１５８）      差込片
（１３９）（１５９）      差込孔
（１４０）（１６０）      内上片
（１７０）          中央筒部
（１７５）          載置板
（２００）（２２０）      後筒部
（２５５）            基板
（２５６）            舌片
（２５７）          張出片部
【図１】
0003561868.tif 000002
【図２】
0003561868.tif 000003
【図３】
0003561868.tif 000004
【図４】
0003561868.tif 000005
【図５】
0003561868.tif 000006
【図６】
0003561868.tif 000007
【図７】
0003561868.tif 000008
【図８】
0003561868.tif 000009
【図９】
0003561868.tif 000010
【図１０】
0003561868.tif 000011
【図１１】
0003561868.tif 000012
【図１２】
0003561868.tif 000013
【図１３】
0003561868.tif 000014
【図１４】
0003561868.tif 000015